(57)【要約】【課題】画像を文字認識することで文字情報を適切に登録する、通信端末装置及び通信システムを提供する。【解決手段】通信回線を介して通信を行う通信端末装置であって、通信相手を示す情報である電話帳データを格納する電話帳データ格納部と、画像を取り込む画像取込部と、画像取込部が取り込んだ画像を解析して文字認識することにより、画像に含まれる電話帳データを抽出する画像解析部と、画像解析部が抽出した電話帳データを電話帳データ格納部に登録する電話帳データ登録部とを備える。【選択図】  図１
2008236809.tif 000002
【特許請求の範囲】
【請求項１】
通信回線を介して無線通信を行う無線通信端末装置であって、
通信相手を示す情報である電話帳データを格納する電話帳データ格納部と、
画像を取り込む画像取込部と、
取り込むべき画像と、取込領域とを重ねて表示する表示部と、
前記画像取込部により取り込まれた画像であって、前記取込領域内の画像に含まれる文字列を抽出する画像解析部と、
前記画像解析部が抽出した文字列を前記電話帳データ格納部に登録する電話帳データ登録部と
を備え、
前記表示部は、電話帳データを登録する場合に、電話帳データの複数の登録項目を表示し、
前記電話帳データ登録部は、前記画像解析部が抽出した文字列を、前記表示部により表示された複数の登録項目から使用者により選択された登録項目の電話帳データとして、前記電話帳データ格納部に登録する無線通信端末装置。
【発明の詳細な説明】
【技術分野】
【０００１】
本発明は、通信端末装置及び通信システムに関する。特に本発明は、文字認識を利用する通信端末装置及び通信システムに関する。
【背景技術】
【０００２】
移動体通信端末において付属のカメラで文字を撮影し、得られた画像を画像解析処理して文字認識を行い、文字情報を登録する方法が考案されている（例えば、非特許文献１参照。）。
【非特許文献１】インターネット＜URL:http://www.nttdocom.co.jp/p_s/products/keitai/504i/n504is/n504is.html＞
【発明の開示】
【発明が解決しようとする課題】
【０００３】
しかしながら、従来の技術では、文字情報を含む画像から、移動体通信端末が持つ電話帳等のフォーマットに登録する場合において、電話番号やＵＲＬなど特定の情報を１行ずつ登録するため、登録に手間が掛かる等の問題があった。
【０００４】
そこで本発明は、上記の課題を解決することのできる通信端末装置及び通信システムを提供することを目的とする。この目的は特許請求の範囲における独立項に記載の特徴の組み合わせにより達成される。また従属項は本発明の更なる有利な具体例を規定する。
【課題を解決するための手段】
【０００５】
即ち、本発明の第１の形態によると、通信回線を介して通信を行う通信端末装置であって、通信相手を示す情報である電話帳データを格納する電話帳データ格納部と、画像を取り込む画像取込部と、画像取込部が取り込んだ画像を解析して文字認識することにより、画像に含まれる電話帳データを抽出する画像解析部と、画像解析部が抽出した電話帳データを電話帳データ格納部に登録する電話帳データ登録部とを備える。
【０００６】
また、画像解析部は、文字認識によって認識された連続する文字列のなかに"＠"が含まれていた場合に、文字列がメールアドレスであると判断して抽出し、電話帳データ登録部は、文字列をメールアドレスとして登録してよい。
【０００７】
また、画像解析部は、文字認識によって認識された連続する文字列のすべての文字が数字、又は数字と記号とで組み合わされている場合に、文字列が電話番号であると判断して抽出し、電話帳データ登録部は、文字列を電話番号として登録してよい。
【０００８】
さらに、画像解析部は、文字列が所定の桁数であった場合に、文字列が電話番号であると判断してよい。
【０００９】
また、画像解析部は、文字認識によって認識された連続する文字列のすべての文字が仮名であった場合に、文字列が通信相手の名称の読みであると判断して抽出し、電話帳データ登録部は、文字列を通信相手の名称の読みとして登録してよい。
【００１０】
また、画像解析部によって文字認識された複数の文字列を表示する画像表示部と、画像表示部が表示する前記複数の文字列から、ユーザが指定する文字列を順番に選択する文字列選択部とをさらに備え、画像解析部は、文字列選択部によって選択される順番と電話帳データの種類とを対応づけて予め格納しており、文字列選択部が選択した順番に応じて、選択された文字列の前記電話帳データの種類を判断して抽出してよい。
【００１１】
通信端末装置は、画像解析部が文字認識により抽出した電話帳データを表示する、又は画像解析部が文字認識により抽出した電話帳データを予め定められた電話帳表示形式に従って表示する画像表示部を更に備えてよい。
【００１２】
通信データの送受信を行う通信部をさらに備え、画像取込部による画像取込処理中、画像解析部による画像解析処理中、又は電話帳データ登録部による登録処理中に通信部が通信データを受信した場合、画像取込処理、画像解析処理、又は登録処理と、通信部による通信処理とを並行処理させる制御部とをさらに備えてよい。
【００１３】
特定の種類の前記電話帳データの取込領域を含む画像フォーマットに、画像取込部が取り込んだ画像を重ねて表示する画像表示部をさらに備え、画像解析部は、取込領域内に重ねて表示された画像に含まれる文字列が特定の種類の電話帳データであると判断して抽出し、電話帳データ登録部は、文字列を特定の種類の電話帳データとして登録してよい。
【００１４】
電話番号、メールアドレス、名前、又は住所の取込領域を含む画像フォーマットに、画像取込部が取り込んだ画像を重ねて表示する画像表示部をさらに備え、画像解析部は、取込領域内に重ねて表示された画像に含まれる文字列が電話番号であると判断して抽出し、電話帳データ登録部は、文字列を電話番号として登録してもよい。
【００１５】
本発明の第２の形態によると、通信回線を介して通信を行う通信端末装置と、通信端末装置からの要求に応じた処理を行う管理装置とを備える通信システムであって、管理装置は、通信端末装置から受信した画像を解析して文字認識することにより、画像に含まれる、通信相手を示す情報である電話帳データを抽出する画像解析部を有し、通信端末装置は、画像を取り込む画像取込部と、画像取込部が取り込んだ画像を管理装置に送信し、管理装置の画像解析部によって抽出された画像に含まれる電話帳データを管理装置から受信する通信部と、受信部が受信した電話帳データを電話帳データ格納部に登録する電話帳データ登録部とを有する。
【００１６】
なお上記の発明の概要は、本発明の必要な特徴の全てを列挙したものではなく、これらの特徴群のサブコンビネーションも又発明となりうる。
【発明の効果】
【００１７】
本発明によれば、画像を文字認識することで文字情報を適切に登録する、通信端末装置及び通信システムを提供できる。
【発明を実施するための最良の形態】
【００１８】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１９】
図１は、本発明の第１の実施形態に係る通信端末装置１００の構成の一例を示す。通信端末装置１００は、通信回線を介して通信相手に対して、音声、文字、画像等の通信データの送受信を行う。本実施形態において、通信端末装置１００は、電話番号、メールアドレス、通信相手の名称、グループ名、シークレット、メモ、会社名、所属、及び連絡先等の電話帳データを示した文字情報を含む画像を、画像解析処理による文字認識を行うことで、通信端末装置１００に当該電話帳データに関する情報を自動登録することを目的とする。
【００２０】
通信端末装置１００は、無線回路部１０、マイク２０、スピーカー３０、入力部４０、画像取込部５０、画像表示部６０、メモリ７０、制御部８０、及び文字選択部９０を備える。
【００２１】
無線回路部１０は、信号を電波へ変調して送信し、また受信した電波を信号へ復調する。マイク２０は、通信端末装置１００のユーザからの音声を入力し、スピーカー３０は、通信相手からの音声を出力する。入力部４０は、数字キー、スクロールキー、キーパッド等の、入力又は選択機能等を有する操作キーであり、通信端末装置１００における情報の入力や選択を行う。
【００２２】
画像取込部６０は、ＣＣＤカメラやＣＭＯＳカメラ等の撮影手段を有する。画像取込部６０は、電話帳データを示す文字情報を、画像として取り込む画像取込処理を行う。本例において、画像取込部６０は、フリーハンドでメモ用紙等に記入されたり、はがきや名刺等に印刷されたりした電話帳データを示す文字情報を画像として取込む。また、画像取込部６０は、住所録等としてディスプレイ画面に表示された電話帳データを示す文字情報を、画像として取込んでもよい。
【００２３】
画像表示部５０は、ＬＣＤ等のディスプレイであり、画像取込部６０が取り込んだ画像を表示する。また、画像表示部５０は、例えば、通信相手の名称ごとに、対応する電話帳データのそれぞれを表示する等の、予め定められた電話帳表示形式に従って、電話帳データを表示する。制御部８０は、通話、着信、メールの送受信、又は画像取込処理等の、通信端末装置１００が有する機能の処理を行う。制御部８０は、画像解析部８２、電話帳データ登録部８４、及び通信部８６を有する。
【００２４】
画像解析部８２は、画像取込部６０が取り込んだ画像を解析して文字認識を行う。画像解析部８２は、当該画像解析処理において電話帳データの種類である登録項目に対応して電話帳データのそれぞれが有する特徴と、文字認識された文字列が持つ特徴とを比較する。これにより、画像解析部８２は、文字認識された文字列が、電話帳データのどの登録項目に対応するかを判断する。
【００２５】
例えば、本例において、画像解析部８２は、文字認識によって認識された連続する文字列のなかに"＠"（アットマーク）が含まれていた場合に、この文字列が登録項目におけるメールアドレスであると判断して抽出する。また、画像解析部８２は、連続する文字列のすべての文字が数字、又は数字と記号とで組み合わされている場合に、この文字列が登録項目における電話番号であると判断して抽出し、連続する文字列のすべての文字が平仮名又は片仮名等の仮名であった場合に、この文字列が登録項目における通信相手の名称の読みであると判断して抽出する。
【００２６】
また、画像解析部８２は、文字認識によって認識された連続する文字列が、例えば１０桁や１１桁等のユーザによって予め定められた所定の桁数であった場合に、この文字列が電話番号であると判断して抽出してよい。このように、画像解析部８２は、画像に含まれる電話番号、メールアドレス、及び通信相手の名称のうちの少なくとも１つの電話帳データを抽出する。
【００２７】
電話帳データ登録部８４は、画像解析部８２が抽出した文字列を、メールアドレス、電話番号、又は、通信相手の名称を示す電話帳データとして、メモリ７０に登録する。電話帳データ登録部８４は、電話帳データの呼出しに応じて予め定められた表示形式として画像表示部５０に表示させ、電話帳データについての修正や発信を行う。
【００２８】
通信部８６は、無線回路部１０を制御することにより、通信相手と通信データの送受信を行う。尚、画像解析部８２は、通信部８６により受信した通信データの画像を、画像解析処理してもよい。また、画像取込部６０による画像取込処理中、画像解析部８２による画像解析処理中、又は電話帳データ登録部８４による登録処理中に、通信部８６が通信データを受信した場合において、制御部８０は、画像取込処理、画像解析処理、又は登録処理と、通信部８６による通信処理とを並行処理させる。
【００２９】
メモリ７０は、電話帳データを格納する電話帳データ格納部７５を有する。電話帳データ格納部７５は、電話番号及びメールアドレスのうちの少なくとも１つを通信相手の名称に対応づけて格納してもよい。文字選択部９０は、画像解析部８２によって文字認識され、画像表示部５０に表示された複数の文字列から、ユーザが指定する文字列を順番に選択する。この場合、文字選択部９０は、例えば入力部４０におけるカーソルキーを用いて、画像表示部５０に表示された複数の文字列を囲うことで、順番に選択する。
【００３０】
以上のように構成された通信端末装置１００においては、電話帳データを示した文字情報を含む画像を、画像解析処理によって文字認識を行うことで、電話帳データを素早く登録することができる。
【００３１】
図２は、通信端末装置１００の第１動作例を示すフローチャートである。通信端末装置１００において、例えば「電話帳キー」が選択され、自動登録の機能が起動されると、制御部８０は、画像解析処理の対象となる画像を取込んでいるかの判定を行う。対象となる画像が存在する場合には（Ｓ１００  ＹＥＳ）、画像解析部８２は、画像解析処理することによって文字認識を行う。この場合、画像解析部８２は、画像解析処理によって解析データを作成する（Ｓ１０２）。そして、画像解析部８２は、作成した解析データに基づいて、認識したそれぞれの文字を表す文字コードのデータを生成する（Ｓ１０４）。
【００３２】
文字コードの作成が成功すると（Ｓ１０６  ＹＥＳ）、画像表示部５０は、画像解析部８２が文字認識により抽出した文字列を登録項目の電話帳データとして表示する。この場合、画像表示部５０は、当該文字列を、登録項目に電話帳データを対応させて格納する電話帳表示形式で表示してもよい。これにより、画像表示部５０はユーザに、文字認識の結果を確認させる。ユーザは、表示された文字列に対して修正を行いたい場合は、例えば入力部４０の入力機能を用いて修正を行う（Ｓ１０８）。
【００３３】
画像表示部５０に表示された文字列が、登録すべき内容としてユーザに判断され、例えば確認キーが選択されると、電話帳データ登録部８４は、当該文字列を、電話帳データ格納部７５に登録する（Ｓ１１０）。電話帳データ格納部７５における登録が成功すると（Ｓ１１２  ＹＥＳ）、画像表示部５０は、電話帳データの登録が完了したことを示す登録完了画面を、所定の時間の間表示する（Ｓ１１４）。その後、画像表示部５０は、着信を待つ状態である、待ち受け画面を表示する（Ｓ１１６）。
【００３４】
Ｓ１００において、対象となる画像が無い場合（Ｓ１００  ＮＯ）、ユーザは、例えば入力キー等を用いて入力をすることにより、電話帳データの登録を行う（Ｓ１１８）。電話帳データの登録が終了すると、画像表示部５０は、待ち受け画面を表示する（Ｓ１１６）。
【００３５】
また、Ｓ１０６において文字コードの作成が失敗する等のエラーが発生した場合（Ｓ１０６  ＮＯ）、及び、Ｓ１１２において電話帳データ格納部７５における登録が失敗する等のエラーが発生した場合、画像表示部５０は、当該エラーについての原因や内容等を示したエラー画面を表示する（Ｓ１２０）。ここで、ユーザによりエラーについての確認がなされ、確認キーが選択されると（Ｓ１２２  ＹＥＳ）、画像表示部５０は、待ち受け画面を表示する（Ｓ１１６）。確認ボタンが選択されない場合には、画像表示部５０は、エラー画面を表示し続ける（Ｓ１２２  ＮＯ）。
【００３６】
尚、本例において、制御部８０は、制御部８０によって行われる並行処理の優先順位を、ユーザに設定させてよい。例えばＳ１０２における画像解析処理中に着信等があった場合、制御部８０は、画像解析処理と着信処理とを並行で処理してよい。また、制御部８０は、画像解析処理を一時中断して着信処理を優先して行い、着信処理の終了後に中断していた画像解析処理を再開してもよい。また、制御部８０は、画像解析処理を中止して着信処理を行い、着信処理の終了後に画像解析処理を始めから行ってもよい。また、制御部８０は、着信を拒否して、画像解析処理を優先して行ってもよい。これにより、通信端末装置１００は、適切に着信処理及び画像解析処理を行うことができる。
【００３７】
図３は、第１動作例において、画像表示部５０が表示する画面の第１例を示す。Ｓ１００において、画像表示部５０は、画像取込部６０が取込んだ画像である画面４００を表示する。これにより、画像表示部５０は、画像解析処理の対象として取り込んだ画像が電話帳データを含む画像であるかどうかを、ユーザに確認させる。尚、本例において、画像取込部６０は、名前、読み、電話番号、又はメールアドレスのそれぞれを示す文字を連続させて、各行毎に改行して記入されたメモ用紙等を、画像として取り込んでよい。
【００３８】
電話帳キーや決定キー等が選択されると、画像表示部５０は、Ｓ１０２及びＳ１０４において、画像解析処理中を示す画面４０２を表示する。尚、ここで、取消キーが選択されると、画像解析処理は中断される。
【００３９】
画像表示部５０は、Ｓ１０８において、抽出した電話帳データを電話帳表示形式に示した画面４０４を表示する。ここで、例えばユーザにより修正キーが選択されると、入力部４０により、電話帳データの内容は修正される。ユーザにより取消キーが選択されると、電話帳データ格納部７５は処理を中断し、確認キーが選択されると、画像表示部５０は、画面４０６を表示する。
【００４０】
画像表示部５０は、Ｓ１１０において、電話帳データ格納部７５が電話帳データを自動で登録する最中であることを示す画面４０６を表示する。所定の時間が経過すると、画像表示部５０は、Ｓ１１４における登録完了画面の一例である画面４０８を表示し、続けて、Ｓ１１６における待ち受け画面の一例である画面４１０を表示する。
【００４１】
図４は、フォーマット用紙３００の一例を示す。フォーマット用紙３００は、登録したい電話帳データをフリーハンドで記入するための入力フォーマット３１０を備える。入力フォーマット３１０は、電話帳データに登録する為の名前、読み、電話番号、及びアドレスのそれぞれを１文字ずつ書き込むための複数のマス目を有する。また、本例において、入力フォーマット３１０は、例えば４つの行を有し、当該各行には、上から名前、読み、電話番号、及びアドレスが、この順番で記入される。
【００４２】
図５は、第１動作例において、画像表示部５０が表示する画面の第２例を示す。尚、図５において、画面４２２、画像４２６〜４３０のそれぞれは、図３で説明した、画面４０２、画面４０６〜画面４１０と同一または同様の機能を有するので、説明を省略する。
【００４３】
画像表示部５０は、画像取込部６０により１つの入力フォーマット３１０を撮像範囲として取り込まれた画面４２０を表示する。画像解析部８２は、Ｓ１０２において、文字認識された文字列のそれぞれを、フォーマット用紙に記された登録項目の順番に従い、名前、読み、電話番号、及びアドレスのそれぞれに対応する電話帳データとして判断し、抽出する。画像表示部５０は、抽出された電話帳データを画面４２４に表示する。
【００４４】
画面４２６において、確認キーが選択されると、電話帳データ登録部８４は、画像解析部８２が抽出した電話帳データを、電話帳データ格納部７５に登録する。尚、入力フォーマット３１０に記入されていない行が存在した場合には、電話帳データ登録部８４は、対応する電話帳データの項目を、例えばＮＵＬＬデータとして登録する。
【００４５】
このように、フォーマット用紙３００は、文字の大きさや形を揃えることにより、画像解析部８２の画像解析処理の文字認識の精度を向上させることができる。また、この場合、画像解析部８２は、文字認識した文字列と、対応する電話帳データの項目とを、抽出することができる。これにより、本例における通信端末装置１００は、認識した文字列を電話帳データに素早く登録することができる。
【００４６】
図６は、第１動作例において、画像表示部５０が表示する画面の第３例を示す。尚、図６において、画面４４２、画面４４６〜４５２のそれぞれは、図４で説明した、画面４０２、画面４０６〜４１０と同一または同様の機能を有するので、説明を省略する。
【００４７】
本例において、画像取込部６０は、少なくとも１つの登録項目に対応する電話帳データが改行されずに記入されたメモ用紙等を、画像として取り込んでよい。画像表示部５０は、画面４４０において、名前、読み、電話番号、及びメールアドレスが、改行されずに記入されたメモ用紙を、画像取込部 ６０が取り込りこんだ画像を表示する。
【００４８】
画像表示部５０は、画像解析処理の後に生成された文字コードのデータに基づいて、文字認識された文字列を、画面４４４に表示する。ここで、文字選択部９０は、この文字列から、ユーザが指定する文字列を順番に選択する。
【００４９】
この時、画像解析部８２は、文字列選択部によって選択される順番と電話帳データの種類とを対応づけて予め格納しており、文字選択部９０が選択した順番に応じて、選択された文字列の電話帳データが、どの登録項目であるかを判断して抽出する。これにより、画像表示部５０は、画面４４６に抽出した結果を電話帳データ表示形式で表示する。
【００５０】
また、画像表示部５０は、電話帳表示形式で表示された画面４４６において、選択された文字列を、修正可能に表示する。この場合、ユーザは入力部４０を用いて修正を行う。ここで、例えば「読み」等の通信相手の名称を示す電話帳データがひとつも抽出されない場合、抽出された電話帳データを、通信相手の名称に対応づけて格納することができない。そこで、ユーザは、画面４４６において、電話帳表示形式で登録するために必要な「読み」等の項目についても、修正又は追加してよい。
【００５１】
このように、本例においては、文字選択部９０は、画像解析部８２が文字認識した結果を、画像表示部５０において選択することができる。この場合、通信端末装置１００は、文字認識された文字列から、登録したい登録項目の電話帳データを選択させることで、確実に登録した電話帳データを登録することができる。
【００５２】
図７は、通信端末装置１００の第２動作例を示すフローチャートである。また、図８は、第２動作例において、画像表示部５０が表示する画面の一例を示す。
【００５３】
電話帳データを画像登録により行う場合、画像表示部５０は、図８（ａ）に示すように、手動登録か自動登録かを選択させる電話帳登録方法を表示する。例えば入力部４０におけるキーパッドにより決定キーが選択され、画像による登録が選択されると（Ｓ２００  ＹＥＳ）、画像表示部５０は、図８（ｂ）に示すように、画像種別の一覧を示した画像種別選択画面を表示する。
【００５４】
ここで、名刺１、名刺２、はがき１、及びはがき２の画像種別から、名刺１が選択されると（Ｓ２０２）、画像表示部５０は、図８（ｃ）に示すように、会社名、所属、氏名、住所、及び連絡先の登録項目に対応する電話帳データの取込領域を含む画像フォーマットを表示する。そして、取り込むべき画像が表示されると（Ｓ２０４）、画像表示部５０は、図８（ｄ）に示すように、画像フォーマットと、画像取込部が取り込むべき画像とを重ねて表示する。本例において、画像表示部５０は、画像における文字情報を示す部分に沿って、取込領域を示す枠を縮小して表示してよい。
【００５５】
取込領域で囲まれた文字情報のそれぞれが、登録すべき登録項目に対応した電話帳データである場合、キーパッドにより決定キーが選択される（Ｓ２０６  ＹＥＳ）。画像解析部８２は、取込領域内に重ねて表示された画像に含まれる文字列が特定の登録項目に対応した電話帳データであると判断して抽出する（Ｓ２０８）。画像表示部５０は、図８（ｅ）に示すように、抽出した文字列を、例えば電話帳表示形式で表示する。
【００５６】
ここで、修正すべき内容がない場合は決定キーが選択され（Ｓ２１０  ＹＥＳ）、登録項目における名前に対応するフリガナが、例えば入力部４０により入力され（Ｓ２１２）、電話帳データ登録部８４は、当該フリガナを電話帳データとして登録する。そして、電話帳データ登録部８４は、電話帳表示形式に表示された文字列を、電話帳データとして登録する（Ｓ２１４）。
【００５７】
電話帳データを、手動登録により行う場合（Ｓ２００  ＮＯ）、例えば入力部４０の入力キーを用いて、電話帳データのそれぞれが入力され（Ｓ２２０）、電話帳データとして登録される（Ｓ２１４）。取込領域で囲まれた文字情報のそれぞれが、登録すべき登録項目に対応した電話帳データではない場合、キーパッドにより修正キーを選択することにより（Ｓ２０６  ＮＯ）、ユーザは修正を行う（Ｓ２１８）。
【００５８】
図９は、Ｓ２１８における動作において、画像表示部５０が表示する画面の一例を示す。図９（ａ）に示すように、画像表示部５０は、住所を示す取込領域において、電話番号も表示している。本例において、ユーザが、住所を囲っている取込領域の修正を行う場合の画面の一例を示す。
【００５９】
修正が開始されると、会社名を囲っていた取込領域が選択され、当該取込領域の左上の頂点が移動可能となる。尚、本例において、取込領域は略長方形であるので、ユーザは、略長方形の対角に位置する２つの頂点の位置を順番に修正することで、取込領域が示す範囲を修正する。また、この場合、画像表示部５０は、取込領域を修正するために移動可能となった頂点を、例えば十字マーク等のマークにより表示する。
【００６０】
ユーザは当該頂点をキーパット等で上下左右に動かし位置を修正する。決定キーが選択されると、取込領域の左上の位置は固定され、次に会社名を囲っていた取込領域の右下の頂点の位置が移動可能となり、ユーザは、この頂点を動かして位置を修正する。ここで、決定キーが選択されると、取込領域の右下の位置は固定され、会社名に対応する取込領域は、新たに固定された左上の頂点と右下の頂点が成す略長方形の範囲に修正される。そして、登録項目における所属を囲っていた取込領域の、左上の頂点が移動可能となる。以下、同様にしてユーザは、登録項目における所属を囲っていた取込領域、氏名を囲っていた取込領域、住所を囲っていた取込領域、連絡先を囲っていた取込領域のそれぞれを、当該順番で修正する。
【００６１】
本例において、ユーザが、住所を囲っていた取込領域を修正する場合、画像表示部５０は、図９（ｂ）に示すように、住所を囲っていた取込領域の左上の頂点を移動可能とし、十字マークで表示する。そして、ユーザは、図９（ｃ）に示すように、住所を示す文字列のみが取込領域に重なる位置へ、左上の頂点の位置を修正する。また、ユーザは、取込領域の右下の頂点は変更させる必要がないため、決定キーを続けて２回選択すると、次に連絡先を囲っていた取込領域の左上の頂点が移動可能となるが、同様に位置を変更させる必要がないので決定キーを選択し、図９（ｄ）に示すように、取込領域の右下の頂点が移動可能となる。ここで、ユーザは、図９（ｅ）に示すように、登録すべき連絡先である電話番号を含むように、頂点の位置を修正し、決定キーが選択されると、住所及び連絡先の取込領域の修正は終了する。
【００６２】
このように、ユーザが、それぞれの登録項目を囲う取込領域を選択し、選択した取込領域の境界線を示す座標を、キーパットにより順番に修正することで、画像表示部５０は、登録項目に対応した文字情報を含む画像を、取込領域に適切に重ねて表示することができる。また、画像解析部８２は、修正された取込領域に含まれる文字列を、電話帳データとして抽出することができ、これにより、通信端末装置１００は、様々な様式で記された文字情報を含む画像から、電話帳データを登録することができる。
【００６３】
図１０は、通信端末装置１００の第３動作例を示すフローチャートである。また、図１１は、第３動作例において、画像表示部５０が表示する画面の一例を示す。尚、図１０において、Ｓ２５０、Ｓ２５２、Ｓ２５６〜Ｓ２６２、Ｓ２６６〜Ｓ２６８、及びＳ２７２〜Ｓ２７６は、図７を用いて説明した、Ｓ２００、Ｓ２０２、Ｓ２０４〜Ｓ２１０、Ｓ２１２〜Ｓ２２０とそれぞれ同一又は同様の動作をするので、説明を省略する。
【００６４】
電話帳データを登録する場合、画像表示部５０は、図１１（ａ）に示すように、電話帳登録方法を表示する。ここで、Ｓ２５２において画像登録が選択されると、画像表示部５０は、図１１（ｂ）に示すように、画像種別として、名刺１、名刺２、はがき１、はがき２、項目指定１、及び項目指定２を表示する。ここで、項目指定１が選択されると、画像表示部５０は、図１１（ｃ）に示すように、複数の登録項目のそれぞれを表示する。ここで、決定キーが選択され登録項目として会社名が選ばれると（Ｓ２５４）、画像表示部５０は、図１１（ｄ）に示すように、会社名の取込領域を示す画像フォーマットを表示する。
【００６５】
取り込むべき画像が表示されると（Ｓ２５６）、画像表示部５０は、図１１（ｅ）に示すように、会社名の登録項目を示す画像フォーマットを、画像取込部が取り込むべき画像に重ねて表示する。ここで、決定キーが選択されると、画像解析部８２は、図１１（ｆ）に示すように、取込領域内に重ねて表示された画像に含まれる文字列が会社名であると判断して抽出する。電話帳データ登録部８６は、この文字列を会社名として登録する。
【００６６】
尚、本例において、Ｓ２５２における登録項目として、会社名に代えて、所属、氏名、住所、及び連絡先を選択し、それぞれの取込領域を含む画像フォーマットに、画像取込部６０が取り込んだ画像を重ねて表示し、取込領域内に重ねて表示された画像に含まれる文字列を、それぞれ所属、氏名、住所、連絡先等の電話帳データとして判断して抽出してよい。
【００６７】
図１２は、画像フォーマットの編集の一例を示すフローチャートを示す。図１３は、図１２において、画像表示部５０が表示する画面の一例を示す。画像フォーマットの編集が選択されると、画像表示部５０は、図１３（ａ）に示すように、画像種別の選択画面を表示する。ここで、ユーザは、登録項目に対応した取込領域を含む画像フォーマットに、画像種別を示す名前を予め付けて格納してよい。ユーザにより、画像種別として例えば名刺１が選択されると（Ｓ２８０）、画像表示部５０は、図１３（ｂ）に示すように、名刺１が有する登録項目の取込領域を含む画像フォーマットを表示する。
【００６８】
登録項目として所属を示す取込領域が選択されると（Ｓ２８２）、画像表示部５０は、図１３（ｃ）に示すように、選択された取込領域を太枠で表示する。削除キーが選択されると（Ｓ２８４  ＹＥＳ）、選択された取込領域が削除される（Ｓ２９２）。
【００６９】
また、取込領域が削除されると画像表示部５０は、図１３（ｄ）に示すように、別の登録項目である氏名を示した取込領域を太枠で表示する。ここで、ユーザが取込領域を削除しない場合（Ｓ２９２  ＮＯ）、決定キー選択すると（Ｓ２８６  ＹＥＳ）、画像表示部５０は、図１３（ｅ）に示すように氏名を示す取込領域を表示する。ここで、取込領域の範囲を変更する場合（Ｓ２８８）、ユーザは、図１３（ｆ）に示すように、取込領域の左上の頂点の位置を修正し、図１３（ｇ）に示すように取込領域の右下の頂点の位置を選択する。そして、ユーザは、図１３（ｈ）に示すように、取込領域の右下の頂点の位置を修正することで、取込領域の範囲を変更する。すべての取込領域の編集が終了すると（Ｓ２９０  ＹＥＳ）、本フローチャートは終了する。いずれかの取込領域を続けて変更する場合には（Ｓ２９０  ＮＯ）、画像表示部５０は、Ｓ２８２における画面を再び表示する。
【００７０】
図１４は、画像フォーマットの一例を示す図である。図１４（ａ）は、縦書きの名刺の画像フォーマットを示す。図１４（ｂ）は、横書きの名刺の画像フォーマットを示す。図１４（ｃ）は、縦書きのはがきの画像フォーマットを示す。図１４（ｄ）は、横書きの画像フォーマットを示す。
【００７１】
画像表示部５０は、図１４（ａ）及び（ｂ）に示すように、名刺を示す画像フォーマットとして、会社名、所属、氏名、住所、及び連絡先を登録項目とした電話帳データの取込領域を表示する。画像表示部５０は、図１４（ｃ）及び（ｄ）に示すように、はがきの画像フォーマットとして、住所、氏名、及び連絡先を登録項目とした電話帳データの取込領域を表示する。
【００７２】
尚、本例において、画像表示部５０は、画像フォーマットを略９０度回転して表示してもよい。例えば、画像表示部５０は、図１４（ｂ）及び図１４（ｄ）のそれぞれを略９０度回転して、図１４（ａ）及び図１４（ｂ）に示すように、それぞれを表示してよい。
【００７３】
図１５は、本発明の第２の実施形態に係る通信システム４００の構成の一例を示す。通信システム４００は、通信端末装置１００及び管理装置２００を備える。通信端末装置１００は、通信回線を介して通信を行う。管理装置２００は、通信端末装置１００からの要求に応じた処理を行う。
【００７４】
通信端末装置１００は、無線回路部１０、マイク２０、スピーカー３０、入力部４０、画像表示部５０、画像取込部６０、メモリ７０、制御部８０、及び文字選択部９０を備える。また、管理装置２００は、画像解析部２１０を有する。尚、図１と同じ符号を付した通信端末装置１００の構成は、図１における構成と同一又は同様の機能を有するので、説明を省略する。
【００７５】
制御部８０は、電話帳データ登録部８４及び通信部８６を有する。通信部８６は、画像取込部６０が取り込んだ画像を、画像解析部２１０に送信する。画像解析部２１０は、通信端末装置１００から受信した画像を解析して文字認識することにより、画像に含まれる電話番号、メールアドレス、及び通信相手の名称のうちの少なくとも１つの電話帳データを抽出する。
【００７６】
この場合、通信部８６は、管理装置２００の画像解析部８２によって抽出された画像に含まれる電話帳データを管理装置２００から受信する、データ登録部８４は、通信部８６が受信した電話帳データを電話帳データ格納部７５に登録する。
【００７７】
以上のように構成された通信システム４００においては、通信部８６は、画像解析部２１０において文字認識された電話帳データの項目を受信し、通信部８６は、当該電話帳データの項目を、電話帳データ格納部７５に登録する。このように、管理装置２００で画像解析処理を行うことにより、通信端末装置１００における処理の負荷を低減することができる。また、本実施形態において、通信システム４００は、登録すべき電話帳データを、適切に通信端末装置１００に登録することができる。
【００７８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７９】
【図１】本発明の第１の実施形態に係る通信端末装置１００の構成の一例を示す図である。
【図２】通信端末装置１００の第１動作例を示すフローチャートである。
【図３】第１動作例において、画像表示部５０が表示する画面の第１例を示す図である。
【図４】フォーマット用紙３００の一例を示す図である。
【図５】第１動作例において、画像表示部５０が表示する画面の第２例を示す図である。
【図６】第１動作例において、画像表示部５０が表示する画面の第３例を示す図である。
【図７】通信端末装置１００の第２動作例を示すフローチャートである。
【図８】第２動作例において、画像表示部５０が表示する画面の一例を示す図である。
【図９】Ｓ２１８における動作において、画像表示部５０が表示する画面の一例を示す図である。
【図１０】通信端末装置１００の第３動作例を示すフローチャートである。
【図１１】第３動作例において、画像表示部５０が表示する画面の一例を示す図である。
【図１２】画像フォーマットの編集の一例を示すフローチャートである。
【図１３】図１２において、画像表示部５０が表示する画面の一例を示す図である。
【図１４】画像フォーマットの一例を示す図である。
【図１５】本発明の第２の実施形態に係る通信システム４００の構成の一例を示す図である。
【符号の説明】
【００８０】
１０・・・無線回路部、２０・・・マイク、３０・・・スピーカー、４０・・・入力部、５０・・・画像表示部、６０・・・画像取込部、７０・・・メモリ、７５・・・電話帳データ格納部、８０・・・制御部、８２・・・画像解析部、８４・・・電話帳データ登録部、８６・・・通信部、９０・・・文字選択部、１００・・・通信端末装置、２００・・・管理装置、２１０・・・画像解析部、３００・・・フォーマット用紙、３１０・・・入力フォーマット、４００・・・通信システム
【図１】
2008236809.tif 000003
【図２】
2008236809.tif 000004
【図３】
2008236809.tif 000005
【図４】
2008236809.tif 000006
【図５】
2008236809.tif 000007
【図６】
2008236809.tif 000008
【図７】
2008236809.tif 000009
【図８】
2008236809.tif 000010
【図９】
2008236809.tif 000011
【図１０】
2008236809.tif 000012
【図１１】
2008236809.tif 000013
【図１２】
2008236809.tif 000014
【図１３】
2008236809.tif 000015
【図１４】
2008236809.tif 000016
【図１５】
2008236809.tif 000017